Podtech/llm-jp-corpus-v4-ja_patent huggingface dataset:
【手続補正書】
【提出日】平成17年2月18日(2005.2.18)
【手続補正１】
【補正対象書類名】明細書
【補正対象項目名】特許請求の範囲
【補正方法】変更
【補正の内容】
【特許請求の範囲】
【請求項１】
５０重量％未満のパラジウムが深さ５０ミクロンまでの表層中に含まれ、残りが深さ５０から４００ミクロンの表層中に位置する、活性炭に担持されたパラジウム金属からなる水素化触媒。
【請求項２】
０．２ｍｌ ＣＯ／ｇ触媒より大なる量の一酸化炭素を化学吸着できる請求項１の触媒。
【請求項３】
一酸化炭素の化学吸着量が、活性炭素上に固定された５０ｍｌ ＣＯ／ｇパラジウムより大きい請求項１または２の触媒。
【請求項４】
パラジウム含有量が０．１から５重量％である請求項１の触媒。
【請求項５】
パラジウム含有量が０．２から０．６重量％である請求項２または３の触媒。
【請求項６】
パラジウムが１５０から３００ｍ2 ／ｇの表面積を有する請求項２または３の触媒。
【請求項７】
パラジウムに加え、ロジウムおよび銅から選ばれる金属を含む請求項１の触媒。
【請求項８】
パラジウム微結晶の平均サイズが１００Å未満である請求項２または３の触媒。
【請求項９】
パラジウム微結晶の平均サイズが５０Å未満である請求項２または３の触媒。
【請求項１０】
活性炭が植物由来で６００ｍ2 ／ｇより大なる表面積を有する請求項１〜９のいずれか一つの触媒。
【請求項１１】
パラジウム化合物の水溶液が、活性炭の細孔容積に等しいかまたは少ない量の溶液を使用して活性炭に乾式含浸される請求項１〜１０のいずれか一つの触媒の製造方法。
【請求項１２】
含浸が噴霧することによりなされる請求項１１の方法。
【請求項１３】
含浸が室温での飽和濃度の５０−１００％の濃度のパラジウム化合物の溶液からなされる請求項１１または１２の方法。
【請求項１４】
活性炭が、活性炭の細孔容積に等しいかまたは少ない量の溶液を使用し、ｐＨ０から１の酸性溶液で前処理された請求項１１から１３のいずれか一つの方法。
【請求項１５】
ｐ−キシレンを酸化することにより得られる、４−カルボキシベンズアルデヒドを不純物として含む粗テレフタル酸の精製における請求項１から１０のいずれか一つの触媒の使用。
【請求項１６】
硝酸塩および／または亜硝酸塩イオンを含む水の精製における請求項１から１０のいずれか一つの触媒の使用。
【手続補正書】
【提出日】平成16年8月26日(2004.8.26)
【手続補正１】
【補正対象書類名】明細書
【補正対象項目名】特許請求の範囲
【補正方法】変更
【補正の内容】
【特許請求の範囲】
【請求項１】
ウェーハの被研磨面が押し当てられて該被研磨面を平坦に研磨する研磨面が、盤表面に形成される定盤を有するウェーハの研磨用定盤装置において、
前記定盤が炭化ケイ素セラミックスによって形成されていると共に、該定盤を冷却する冷却手段を備え、
かつ前記冷却手段を構成する冷却通路によって囲まれた定盤の芯層部が、前記定盤の表面と表面側に形成された冷却通路との間の表層部および前記定盤の裏面と裏面側に形成された冷却通路との間の裏層部よりも高い剛性を有するように、前記表層部および裏層部よりも厚く形成されていることを特徴とするウェーハの研磨用定盤装置。
【請求項２】
前記定盤の盤表面上に、布もしくはフェルト状のクロス、またはスポンジもしくは短毛刷子状の部材等の表面層部材が固定されて前記研磨面が形成され、ウェーハを鏡面研磨するポリシング装置に適用されることを特徴とする請求項１記載のウェーハの研磨用定盤装置。
【手続補正２】
【補正対象書類名】明細書
【補正対象項目名】０００８
【補正方法】変更
【補正の内容】
【０００８】
【課題を解決するための手段】
上記の目的を達成するため、本発明は次の構成を備える。
すなわち、本発明は、ウェーハの被研磨面が押し当てられて該被研磨面を平坦に研磨する研磨面が、盤表面に形成される定盤を有するウェーハの研磨用定盤装置において、前記定盤が炭化ケイ素セラミックスによって形成されていると共に、該定盤を冷却する冷却手段を備え、かつ前記冷却手段を構成する冷却通路によって囲まれた定盤の芯層部が、前記定盤の表面と表面側に形成された冷却通路との間の表層部および前記定盤の裏面と裏面側に形成された冷却通路との間の裏層部よりも高い剛性を有するように、前記表層部および裏層部よりも厚く形成されていることを特徴とする。
【手続補正書】
【提出日】平成16年4月2日(2004.4.2)
【手続補正１】
【補正対象書類名】明細書
【補正対象項目名】０００２
【補正方法】変更
【補正の内容】
【０００２】
【従来の技術】
特公昭５５−１３７５９号公報に開示されたナイフ保持具は、ナイフの鍔部上面を押さえるように係止するストッパーと、ダイバーがナイフを鞘部から抜脱する際に係止状態を解除すべく引っ張るための摘持部とを有している。この摘持部は、引っ張ることが容易なように鞘部から側方へ突出した状態にある。


【手続補正２】
【補正対象書類名】明細書
【補正対象項目名】０００４
【補正方法】変更
【補正の内容】
【０００４】
【発明が解決しようとする課題】
特公昭５５−１３７５９号公報に記載のナイフ保持具の突出した摘持部は、ダイバーにとって危険でないまでも邪魔になることがある。ダイバーの携帯品では、そうした突出部を極力少なくすることが好ましい。
【手続補正書】
【提出日】平成16年9月8日(2004.9.8)
【手続補正１】
【補正対象書類名】明細書
【補正対象項目名】特許請求の範囲
【補正方法】変更
【補正の内容】
【特許請求の範囲】
【請求項１】
水平な走行板上に模型走行体が走行可能に載置され、該模型走行体に対応して前記走行板の下方で走行駆動するキャリアが磁力を介して前記模型走行体を誘導する走行模擬装置において、
前記模型走行体は、台車と同台車に対して支持された模型体とから構成され、
前記模型体は、前記台車に相対変位自在に支持される模型体本体と同模型体本体に相対変位自在に取り付けられる模型体部分とからなり、
前記模型体本体は、前記台車に対して一部が連結リンクを介して連結支持され、別の一部がカム機構を介して支持され、
前記キャリアの上面に設けられた磁石の回動が磁力により前記台車の下面に設けられた磁石の回動に伝達され、同台車側の磁石の回動が運動変換機構により前記カム機構のカムの回動とし、同カムの回動がカム従動子を前記模型体本体と一体に動かし、
前記台車に対する前記模型体本体の相対変動がリンク機構を介して前記模型体部分の動きに伝達されることを特徴とする走行模擬装置。
【請求項２】
前記キャリアの上面と前記台車の下面にそれぞれ固定磁石が対応して設けられたことを特徴とする請求項１記載の走行模擬装置。
【請求項３】
前記台車側の回動される磁石が垂直回転軸の下端に嵌着され、同垂直回転軸の回転をウォームギアを介して水平回転軸の回転に変換し、同水平回転軸に前記カム機構のカムが嵌着されたことを特徴とする請求項１または請求項２記載の走行模擬装置。
【請求項４】
前記台車に対して前記模型体本体は、左右水平軸に垂直な面に沿って変位することを特徴とする請求項３記載の走行模擬装置。
【請求項５】
前記模型体部分は、前記模型体本体に揺動自在に枢支され、
前記リンク機構は、前記台車と前記模型体部分の枢支される回転軸との間に設けられ、
前記模型体本体とともに変位する前記回転軸の変位がリンク機構を介して同回転軸を回転させ前記模型体部分を回動させることを特徴とする請求項１から請求項４までのいずれか記載の走行模擬装置。
【手続補正２】
【補正対象書類名】明細書
【補正対象項目名】００１０
【補正方法】変更
【補正の内容】
【００１０】
【課題を解決するための手段および作用】
上記目的を達成するために、本発明は、水平な走行板上に模型走行体が走行可能に載置され、該模型走行体に対応して前記走行板の下方で走行駆動するキャリアが磁力を介して前記模型走行体を誘導する走行模擬装置において、前記模型走行体は、台車と同台車に対して支持された模型体とから構成され、前記模型体は、前記台車に相対変位自在に支持される模型体本体と同模型体本体に相対変位自在に取り付けられる模型体部分とからなり、前記模型体本体は、前記台車に対して一部が連結リンクを介して連結支持され、別の一部がカム機構を介して支持され、前記キャリアの上面に設けられた磁石の回動が磁力により前記台車の下面に設けられた磁石の回動に伝達され、同台車側の磁石の回動が運動変換機構により前記カム機構のカムの回動とし、同カムの回動がカム従動子を前記模型体本体と一体に動かし、前記台車に対する前記模型体本体の相対変動がリンク機構を介して前記模型体部分の動きに伝達される走行模擬装置とした。
【手続補正３】
【補正対象書類名】明細書
【補正対象項目名】００１２
【補正方法】変更
【補正の内容】
【００１２】
模型体本体は、台車に対して一部が連結リンクを介して支持され、他の一部がカム機構を介して支持されているので、模型体本体は鉛直面に沿って自由に変位可能として、単純でない実際の動作に近似したあるいはより効果的な模倣ができる。
台車に対する模型体本体の相対変動がリンク機構を介して模型体部分の動きに伝達され、模型体本体と模型体部分が関連した動きをするので、模型体本体の動きに合わせて模型体部分が動き、実際の動物等の動作を表現することができる。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】変更
【補正の内容】
【００１７】
請求項３記載の発明は、請求項１または請求項２記載の走行模擬装置において、前記台車側の回動される磁石が垂直回転軸の下端に嵌着され、同垂直回転軸の回転をウォームギアを介して水平回転軸の回転に変換し、同水平回転軸に前記カム機構のカムが嵌着されたものである。
【手続補正７】
【補正対象書類名】明細書
【補正対象項目名】００１９
【補正方法】変更
【補正の内容】
【００１９】
請求項４記載の発明は、請求項３記載の走行模擬装置において、前記台車に対する前記模型体の自由に変位する鉛直面が、左右水平軸に垂直な面であることを特徴とする。
【手続補正８】
【補正対象書類名】明細書
【補正対象項目名】００２１
【補正方法】削除
【補正の内容】
【手続補正９】
【補正対象書類名】明細書
【補正対象項目名】００２２
【補正方法】削除
【補正の内容】
【手続補正１０】
【補正対象書類名】明細書
【補正対象項目名】００２３
【補正方法】変更
【補正の内容】
【００２３】
請求項５記載の発明は、請求項１から請求項４までのいずれか記載の走行模擬装置において、前記模型体部分が、前記模型体本体に揺動自在に枢支され、前記リンク機構が、前記台車と前記模型体部分の枢支される回転軸との間に設けられ、前記模型体本体とともに変位する前記回転軸の変位がリンク機構を介して同回転軸を回転させ前記模型体部分を回動させるものである。
【手続補正書】
【提出日】平成16年8月2日(2004.8.2)
【手続補正１】
【補正対象書類名】明細書
【補正対象項目名】特許請求の範囲
【補正方法】変更
【補正の内容】
【特許請求の範囲】
【請求項１】
遊戯者の操作によって取得された景品が景品払出口に払い出されるように構成された景品払出ゲーム装置において、
景品を貯蔵する景品貯蔵部と、
搬送経路に沿って前記景品を搬送する搬送手段と、
前記景品貯蔵部に貯蔵された前記景品を前記搬送経路に移動させる移動手段と、
前記搬送経路から逸脱した景品を前記景品払出し口へ導いて前記逸脱した景品を取得する景品取得手段とを有することを特徴とする景品払出しゲーム装置。
【請求項２】
請求項１において，
前記搬送手段は、ゲーム装置に対向して位置する遊戯者に対して奥側から手前側へ向けて設けられた前記搬送経路と、前記搬送経路の手前側の端に終端部を有し、
前記景品貯蔵部は、前記搬送手段により搬送されて前記終端部から逸脱した景品を回収しうるように前記搬送手段の下方に設けられ、
前記景品取得手段は、前記遊戯者の操作に応動して、前記搬送経路の前記手前側から奥側に向う方向に傾動可能に設けられたフラップ板を有し、
前記搬送経路の前記手前側から奥側に向う方向に傾動したフラップ板は、前記終端部から逸脱した景品が前記景品貯蔵部に回収されるのを阻止すると共に、景品を前記景品払出し口へ導くガイドとして構成されることを特徴とする景品払出しゲーム装置。
【請求項３】
請求項２において，
遊戯者が前記フラップ板を前記終端部側に向けて傾動させるために操作するボタンと、
前記フラップ板を傾動させる電磁ソレノイドと、
受信したボタン信号に応じて前記電磁ソレノイドを励磁させて、前記フラップ板の傾動制御を行う制御部とを有することを特徴とする景品払出しゲーム装置。
【請求項４】
景品貯蔵部と、
該景品貯蔵部の上方に配置され、景品を終端部まで搬送し、該終端部から落下した景品を前記景品貯蔵部に戻すように構成された搬送部と、
前記景品貯蔵部にある景品を前記搬送部に移動させるエレベータ部と、
該エレベータ部に向けて景品を押し上げる押上げ機構と、
景品払い出し口と、
前記搬送部の終端部まで搬送された景品を、前記景品貯蔵部に落下させずに、前記景品払出し口に導く複数のフラップ板と、
を有することを特徴とすること景品払出しゲーム装置。
【請求項５】
請求項４において、
前記エレベータ部は、内周に複数の仕切り板を備えた回転ドラムで構成され、
該回転ドラムが、その軸が略水平になるように配置され、
前記押上げ機構は、前記景品貯蔵部から前記回転ドラムの下部の二枚の仕切り板の間に、景品を押し込むように構成されたことを特徴とする景品払出しゲーム装置。
【請求項６】
請求項５において、前記押上げ機構は、
一対のプーリに張られたエンドレスベルトと、
該エンドレスベルトを２分するそれぞれ対向する位置で、該エンドレスベルトに支持された、一対の箱体を有し、
前記一対のプーリの正方向半回転及び逆方向半回転により、前記エンドレスベルトに支持される一対の箱体が、互いに反対方向に往復移動され、前記一対の箱体の端面で、前記景品を前記エレベータ部方向に移動させることを特徴とする景品払出しゲーム装置。
【請求項７】
請求項４乃至６の何れかにおいて、
前記複数のフラップ板は、それぞれ前記搬送部の終端部側に倒れるように構成されており、遊戯者の操作に応じて前記複数のフラップ板の倒れ動作を制御する制御部を有することを特徴とする景品払出しゲーム装置。
【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
複数のキャラクタが移動するオブジェクト空間における所与の視点での画像を生成するためのコンピュータ読み取り可能な情報記憶媒体であって、
前記複数のキャラクタの中の第１のキャラクタが第２のキャラクタにプレイ対象物を渡す操作がなされた場合に、第２のキャラクタの移動速度と移動方向とに基づいて第２のキャラクタの予想移動位置を求める予測移動位置演算手段と、
第１のキャラクタから、求められた第２のキャラクタの前記予測移動位置に向けて、プレイ対象物を移動させる処理を行う移動体演算手段と、
第１、第２のキャラクタ及びプレイ対象物が移動するオブジェクト空間での所与の視点での画像を生成する画像生成手段として、
コンピュータを機能させるプログラムを記憶した情報記憶媒体。
【請求項２】
請求項１において、
前記予測移動位置演算手段が、
プレイ対象物と第２のキャラクタとの距離に基づいてプレイ対象物が第２のキャラクタに到達するまでの予想到達時間を求め、所与の時間間隔毎に変化する前記予想到達時間及び第２のキャラクタの移動速度及び移動方向に基づいて、所与の時間間隔毎に前記予想移動位置を更新して、第２のキャラクタの前記予測移動位置を求めることを特徴とする情報記憶媒体。
【請求項３】
請求項２において、
前記移動体演算手段が、
プレイ対象物を放つ方向が前記予想移動位置の方に向くように、第１のキャラクタの向く方向を変化させることを特徴とする情報記憶媒体。
【請求項４】
請求項２又は３において、
前記移動体演算手段が、
第２のキャラクタにプレイ対象物を渡すための第１のキャラクタのモーションが完了した後に、プレイ対象物を第１のキャラクタから前記予想移動位置に向けて移動させる処理を開始することを特徴とする情報記憶媒体。
【請求項５】
請求項２乃至４のいずれかにおいて、
前記予測移動位置演算手段が、
前記予想移動位置が所与のエリアの外にあるか否かを判断し、前記予想移動位置が所与のエリアの外にある場合には、前記予想移動位置を第２のキャラクタの位置に変更することを特徴とする情報記憶媒体。
【請求項６】
請求項２乃至５のいずれかにおいて、
前記予測移動位置演算手段が、
第１のキャラクタがプレイ対象物に到達するまでの時間であり所与の時間間隔毎に変化する第２の予想到達時間と前記予想到達時間とに基づいて、第２のキャラクタの前記予測移動位置を求めることを特徴とする情報記憶媒体。
【請求項７】
請求項６において、
前記移動体演算手段が、
第１のキャラクタがプレイ対象物に到達した後に、プレイ対象物を第１のキャラクタから前記予想移動位置に向けて移動させる処理を開始することを特徴とする情報記憶媒体。
【請求項８】
請求項１乃至７のいずれかにおいて、
前記移動体演算手段が、
第１のキャラクタの動作を記述する複数のモーションデータの中から、前記予想移動位置の方向に応じたモーションデータを選択することを特徴とする情報記憶媒体。
【請求項９】
請求項１乃至８のいずれかにおいて
前記移動体演算手段が、
第１のキャラクタから放たれたプレイ対象物の時間ｔ1、ｔ2、ｔ3・・・・tk・・・・ｔnでの位置をＰＢt1、ＰＢt2、ＰＢt3・・・・ＰＢtk・・・・ＰＢtnとし第２のキャラクタの移動速度をＶとした場合に、プレイ対象物の位置ＰＢt1、ＰＢt2、ＰＢt3・・・・ＰＢtk・・・・ＰＢtnと第２のキャラクタの位置との間の距離を、ｔk×Ｖと順次比較し、前記距離がｔk×Ｖ以下となる位置ＰＢtkを選択し、選択された位置ＰＢtkの方向に第２のキャラクタを移動させる処理を行うことを特徴とする情報記憶媒体。
【請求項１０】
キャラクタ及びプレイ対象物が移動するオブジェクト空間における所与の視点での画像を生成するためのコンピュータ読み取り可能な情報記憶媒体であって、
プレイ対象物の時間ｔ1、ｔ2、ｔ3・・・・tk・・・・ｔnでの位置をＰＢt1、ＰＢt2、ＰＢt3・・・・ＰＢtk・・・・ＰＢtnとしキャラクタの移動速度をＶとした場合に、プレイ対象物の位置ＰＢt1、ＰＢt2、ＰＢt3・・・・ＰＢtk・・・・ＰＢtnとキャラクタの位置との間の距離を、ｔk×Ｖと順次比較し、前記距離がｔk×Ｖ以下となる位置ＰＢtkを選択し、選択された位置ＰＢtkの方向にキャラクタを移動させる処理を行う移動体演算手段と、
キャラクタ及びプレイ対象物が移動するオブジェクト空間での所与の視点での画像を生成する画像生成手段として、
コンピュータを機能させるプログラムを記憶した情報記憶媒体。
【請求項１１】
複数のキャラクタが移動するオブジェクト空間における所与の視点での画像を生成する画像生成装置であって、
前記複数のキャラクタの中の第１のキャラクタが第２のキャラクタにプレイ対象物を渡す操作がなされた場合に、第２のキャラクタの移動速度と移動方向とに基づいて第２のキャラクタの予想移動位置を求める予測移動位置演算手段と、
第１のキャラクタから、求められた第２のキャラクタの前記予測移動位置に向けて、プレイ対象物を移動させる処理を行う移動体演算手段と、
第１、第２のキャラクタ及びプレイ対象物が移動するオブジェクト空間での所与の視点での画像を生成する画像生成手段とを含むことを特徴とする画像生成装置。
【請求項１２】
キャラクタ及びプレイ対象物が移動するオブジェクト空間における所与の視点での画像を生成する画像生成装置であって、
プレイ対象物の時間ｔ1、ｔ2、ｔ3・・・・tk・・・・ｔnでの位置をＰＢt1、ＰＢt2、ＰＢt3・・・・ＰＢtk・・・・ＰＢtnとしキャラクタの移動速度をＶとした場合に、プレイ対象物の位置ＰＢt1、ＰＢt2、ＰＢt3・・・・ＰＢtk・・・・ＰＢtnとキャラクタの位置との間の距離を、ｔk×Ｖと順次比較し、前記距離がｔk×Ｖ以下となる位置ＰＢtkを選択し、選択された位置ＰＢtkの方向にキャラクタを移動させる処理を行う移動体演算手段と、
第１、第２のキャラクタ及びプレイ対象物が移動するオブジェクト空間での所与の視点での画像を生成する画像生成手段とを含むことを特徴とする画像生成装置。
【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
プレーヤが操作するプレーヤキャラクタをオブジェクト空間内のフィールド上で移動させスポーツゲームをシミュレートする画像を生成するためのコンピュータ読み取り可能な情報記憶媒体であって、
プレーヤキャラクタをオブジェクト空間内で移動させる処理を行う移動体演算手段と、
スポーツゲームのルールに基づく条件である侵入禁止エリア設定条件が成立したか否かを判断し、侵入禁止エリア設定条件が成立した場合に、前記フィールド上に侵入禁止エリアを設定し、プレーヤキャラクタが前記侵入禁止エリアに侵入しているか否かを判断する侵入禁止エリア設定手段と、
プレーヤキャラクタが移動するオブジェクト空間での所与の視点での画像を生成する画像生成手段として、
コンピュータを機能させるプログラムを記憶し、
プレーヤキャラクタが前記侵入禁止エリアに侵入していると前記侵入禁止エリア設定手段により判断された場合に、前記移動体演算手段が、プレーヤキャラクタを前記侵入禁止エリアの内側から外側に移動させる処理を行うことを特徴とする情報記憶媒体。
【請求項２】
請求項１において、
前記侵入禁止エリア設定手段が、
前記侵入禁止エリアの範囲を表す侵入禁止エリア画像を前記フィールド上に表示するための処理を行うことを特徴とする情報記憶媒体。
【請求項３】
請求項１又は２において、
前記移動体演算手段が、
前記侵入禁止エリアの内側から外側に向く力ベクトルをプレーヤキャラクタに作用させて、プレーヤキャラクタを前記侵入禁止エリアの内側から外側に移動させる処理を行うことを特徴とする情報記憶媒体。
【請求項４】
請求項３において、
前記移動体演算手段が、
前記力ベクトルにより侵入禁止エリアの内側から外側に移動するプレーヤキャラクタの速度が所与のリミット値よりも大きくならないように、プレーヤキャラクタの速度を前記リミット値に制限することを特徴とする情報記憶媒体。
【請求項５】
プレーヤが操作するプレーヤキャラクタをオブジェクト空間内のフィールド上で移動させスポーツゲームをシミュレートする画像を生成するためのコンピュータ読み取り可能な情報記憶媒体であって、
プレーヤキャラクタをオブジェクト空間内で移動させる処理を行う移動体演算手段と、
スポーツゲームのルールに基づく条件である侵入禁止エリア設定条件が成立したか否かを判断し、侵入禁止エリア設定条件が成立した場合に、前記フィールド上に侵入禁止エリアを設定し、前記侵入禁止エリアの範囲を表す侵入禁止エリア画像を前記フィールド上に表示するための処理を行う侵入禁止エリア設定手段と、
プレーヤキャラクタが移動するオブジェクト空間での所与の視点での画像を生成する画像生成手段として、
コンピュータを機能させるプログラムを記憶した情報記憶媒体。
【請求項６】
プレーヤが操作するプレーヤキャラクタをオブジェクト空間内のフィールド上で移動させスポーツゲームをシミュレートする画像を生成する画像生成装置であって、
プレーヤキャラクタをオブジェクト空間内で移動させる処理を行う移動体演算手段と、
スポーツゲームのルールに基づく条件である侵入禁止エリア設定条件が成立したか否かを判断し、侵入禁止エリア設定条件が成立した場合に、前記フィールド上に侵入禁止エリアを設定し、プレーヤキャラクタが前記侵入禁止エリアに侵入しているか否かを判断する侵入禁止エリア設定手段と、
プレーヤキャラクタが移動するオブジェクト空間での所与の視点での画像を生成する画像生成手段とを含み、
プレーヤキャラクタが前記侵入禁止エリアに侵入していると前記侵入禁止エリア設定手段により判断された場合に、前記移動体演算手段が、プレーヤキャラクタを前記侵入禁止エリアの内側から外側に移動させる処理を行うことを特徴とする画像生成装置。
【請求項７】
プレーヤが操作するプレーヤキャラクタをオブジェクト空間内のフィールド上で移動させスポーツゲームをシミュレートする画像を生成する画像生成装置であって、
プレーヤキャラクタをオブジェクト空間内で移動させる処理を行う移動体演算手段と、
スポーツゲームのルールに基づく条件である侵入禁止エリア設定条件が成立したか否かを判断し、侵入禁止エリア設定条件が成立した場合に、前記フィールド上に侵入禁止エリアを設定し、前記侵入禁止エリアの範囲を表す侵入禁止エリア画像を前記フィールド上に表示するための処理を行う侵入禁止エリア設定手段と、
プレーヤキャラクタが移動するオブジェクト空間での所与の視点での画像を生成する画像生成手段とを含むことを特徴とする画像生成装置。
【手続補正書】
【提出日】平成16年9月15日(2004.9.15)
【手続補正１】
【補正対象書類名】明細書
【補正対象項目名】特許請求の範囲
【補正方法】変更
【補正の内容】
【特許請求の範囲】
【請求項１】
キャラクタ及びプレイ対象物が移動するオブジェクト空間における所与の視点、視線方向での画像を生成するためのコンピュータ読み取り可能な情報記憶媒体であって、
キャラクタとプレイ対象物が接触した場合に操作手段からの操作データに基づき決まる放出方向にプレイ対象物を移動させる処理を行うと共に、前記放出方向に移動するプレイ対象物の方向にキャラクタの移動方向を向ける処理を行う移動体演算手段と、
視点の位置や視線方向を決める処理を行う視点演算手段と、
キャラクタ及びプレイ対象物が移動するオブジェクト空間において、前記視点演算手段により決められた視点、視線方向での画像を生成する画像生成手段として、
コンピュータを機能させるプログラムを記憶した情報記憶媒体。
【請求項２】
請求項１において、
前記移動体演算手段が、
キャラクタの移動方向がプレイ対象物の方向に向いていない場合には、キャラクタの移動方向をプレイ対象物の方向に向けた後に、キャラクタをプレイ対象物に近づける処理を行い、キャラクタとプレイ対象物が接触したと判断された場合に、前記放出方向にプレイ対象物を移動させる処理を行うことを特徴とする情報記憶媒体。
【請求項３】
請求項２において、
前記移動体演算手段が、
キャラクタとプレイ対象物の距離に基づきキャラクタがプレイ対象物に接触するまでの時間ＴＣを求め、キャラクタのモーションデータ再生時間をＴＭとした場合に、キャラクタをプレイ対象物に近づける処理を開始してから（ＴＣ−ＴＭ）時間後にキャラクタのモーションデータの再生を開始することを特徴とする情報記憶媒体。
【請求項４】
請求項１乃至３のいずれかにおいて、
前記移動体演算手段が、
キャラクタとプレイ対象物が接触した場合に、操作手段からの操作データに基づき決まる速度でプレイ対象物を前記放出方向に移動させる処理を行うことを特徴とする情報記憶媒体。
【請求項５】
請求項１乃至４のいずれかにおいて、
前記視点演算手段が、
前記放出方向へのプレイ対象物の移動時に、画像生成を行う際の前記視線方向を前記放出方向に向ける処理を行うことを特徴とする情報記憶媒体。
【請求項６】
請求項１乃至５のいずれかにおいて、
前記移動体演算手段が、
キャラクタの加速操作が行われていなく且つキャラクタの移動速度が所与の速度以下の場合に、キャラクタの向きをプレイ対象物の方向に向けさせながらプレイ対象物を中心とした円周上でキャラクタを移動させる処理を行うことを特徴とする情報記憶媒体。
【請求項７】
請求項１乃至６のいずれかにおいて、
キャラクタとプレイ対象物が接触した場合に前記放出方向にプレイ対象物を移動させると共にキャラクタの移動方向をプレイ対象物の方向に向けるドリブルモードの設定処理を行うモード設定手段として、コンピュータを機能させるプログラムを記憶し、
前記モード設定手段が、
キャラクタにプレイ対象物を追わせる処理を行わない場合、パス操作が行われた場合、シュート操作が行われた場合の少なくとも１つの場合に、前記ドリブルモードから抜ける処理を行うことを特徴とする情報記憶媒体。
【請求項８】
キャラクタ及びプレイ対象物が移動するオブジェクト空間における所与の視点、視線方向での画像を生成する画像生成装置であって、
キャラクタとプレイ対象物が接触した場合に操作手段からの操作データに基づき決まる放出方向にプレイ対象物を移動させる処理を行うと共に、前記放出方向に移動するプレイ対象物の方向にキャラクタの移動方向を向ける処理を行う移動体演算手段と、
視点の位置や視線方向を決める処理を行う視点演算手段と、
キャラクタ及びプレイ対象物が移動するオブジェクト空間において、前記視点演算手段により決められた視点、視線方向での画像を生成する画像生成手段とを含むことを特徴とする画像生成装置。
【手続補正書】
【提出日】平成16年8月26日(2004.8.26)
【手続補正１】
【補正対象書類名】明細書
【補正対象項目名】００１１
【補正方法】変更
【補正の内容】
【００１１】
遊戯盤１０に取付ける軸受け体１１には前面の取付け板１２の中央に凹部１３と、その凹部１３の背面に筒状部１４と、その中央に回転軸２を挿通しうる挿通孔１５とが形成され、その軸受け体１１の凹部１３に風車１の回転軸２の回転方向を規制しうる回転方向規制手段２１が設けられたベアリング手段２０を介して風車１の回転軸２が一方向にのみ回転自由に軸支される。１６は後述の外輪２２の係合溝２９を係合する係合凸条で、凹部１３の内周に一定間隔をおいて形成してある。
【手続補正２】
【補正対象書類名】明細書
【補正対象項目名】００１３
【補正方法】変更
【補正の内容】
【００１３】
この回転方向規制ベアリング２０の回転を一方向に規制する手段として、内輪２３の収容部２８は片面にローラーと合致する円弧面２８ａと、その他面に板バネ２７を保持する「く」の字形の屈曲面２８ｂが形成され、ローラー２６が内輪２３の内径開口より僅かに露出保持されるように形成されるとともに板バネ２７が屈曲面２８ｂに図６に示すように当ててローラー２６側に凸条に屈曲させて常時付勢状態に挿入され、この板バネ２７の作用でローラー２６が所定方向にのみ回転自由とされている。すなわち、ローラー２６が回転軸２の回転力で所定方向（左回転）に回転されたとき、図６の鎖線のように板バネ２７が屈曲面２８ｂの屈曲部にかかって偏平状となるとローラー２６は回転が自在となる。この状態で、板バネ２７の押圧力は僅かで、ローラーは軽快に回転できる。ローラー２６にその逆方向（右回転）の回転力が働くときは、板バネ２７の付勢力によりローラー２６が円弧面２８ａに圧着され（図６実線で示す）回転が阻止され、而して、風車の回転軸２の反対方向への回転が阻止される。実施形態では、風車１を左回転する場合について説明したが、風車を右回転のみにする場合には、収容部２８を前記とは逆に形成してローラーと板バネを反対に備えればよい。
【手続補正３】
【補正対象書類名】明細書
【補正対象項目名】００１５
【補正方法】変更
【補正の内容】
【００１５】
遊戯盤１０への風車１の取付けは、図８、図９に示すように、軸受け体１１の凹部１３と筒状部１４を遊戯盤１０の挿入孔３３に嵌め、軸受け体１１の前面の取付け板１２の取付け孔１７をビス１８で遊戯盤１０に固定し、該軸受け体１１の凹部１３に外輪２２、内輪２３とローラー押さえ板２４とからなるローラー保持体２５、ローラー２６、板バネ２７を組込んだ回転方向規制ベアリング２０を装入嵌合し、そのベアリング２０と筒状部１４に風車１の回転体の回転軸２を挿入して、筒状部１４より突出した軸端の環状溝３４に止め金３５を嵌め、風車１の回転軸２を軸支する。而して、風車１に球が当たって回転軸２が所定方向に回転されると、その回転力で内輪２３の内径の開口より露出するローラー２６が回されて板バネ２７が偏平に伸ばされる方向に力が働き、ローラー２６が自由に回転できる。風車１の回転軸２に反対方向に回転する力が働いたときは、ローラー２６は板バネ２７の付勢力で付勢されて内輪の円弧面２８ａに圧着されて、回転が阻止され、回転が規制されている。
【手続補正書】
【提出日】平成16年11月9日(2004.11.9)
【手続補正１】
【補正対象書類名】明細書
【補正対象項目名】特許請求の範囲
【補正方法】変更
【補正の内容】
【特許請求の範囲】
【請求項１】
分子中に（メタ）アクリロイル基を３個有するウレタン（メタ）アクリレート（Ａ）と分子中に（メタ）アクリロイル基を３個有する（メタ）アクリレート（Ｂ）とを含んでなる活性エネルギ−線硬化型樹脂組成物であって、分子中に（メタ）アクリロイル基を３個有するウレタン（メタ）アクリレート（Ａ）が、３個のイソシアネート基を有する化合物と一般式（１）または（２）で表される化合物とを反応させて得られるものであり、該組成物の硬化物が、引張応力と歪との関係図において降伏点を持たないことを特徴とする活性エネルギ−線硬化型樹脂組成物。
【化１】
2002069139.tif 000001
〔式中、Ｒ１は水素原子またはメチル基を示し、Ｒ２、Ｒ３は置換基を有していても良く分岐していても良い炭素原子数２〜８のアルキレン鎖を示し、ｍおよびｎはそれぞれ独立して、ｍは１〜５の整数、ｎは０〜４の整数で、ｍとｎの和（ｍ＋ｎ）が２〜５である。式（２）において［  ］内は炭素原子数２〜８のアルキレン鎖からなるブロック構造またはランダム構造を有するオキシアルキレン鎖を示す。〕
【請求項２】
該組成物の硬化物が、引張応力と歪との関係図において、破断時の応力（σ2）と、初期引張変形点における接線と破断時の歪での応力の交点（σ1）との比（σ2／σ1）が０．５以上である請求項１記載の活性エネルギー線硬化型樹脂組成物。
【請求項３】
一般式（１）中のｍとｎの和（ｍ＋ｎ）が２〜４である請求項１または２記載の活性エネルギ−線硬化型樹脂組成物。
【請求項４】
分子中に（メタ）アクリロイル基を３個有する（メタ）アクリレート（Ｂ）が、水酸基を含む化合物に（メタ）アクリル酸がエステル化反応で３個結合した構造を有するものである請求項１、２、または３記載の活性エネルギ−線硬化型樹脂組成物。
【手続補正２】
【補正対象書類名】明細書
【補正対象項目名】００１０
【補正方法】変更
【補正の内容】
【００１０】
【発明の実施の形態】
即ち、本発明は、
（I）分子中に（メタ）アクリロイル基を３つ有するウレタン（メタ）アクリレート（Ａ）と分子中に（メタ）アクリロイル基を３つ有する（メタ）アクリレート（Ｂ）とを含んでなる活性エネルギ−線硬化型樹脂組成物であって、分子中に（メタ）アクリロイル基を３つ有するウレタン（メタ）アクリレート（Ａ）が、３官能イソシアネート化合物と一般式（１）または（２）で表される化合物とを反応させて得られるものであり、該組成物の硬化物が、引張応力と歪との関係図において降伏点を持たないことを特徴とする活性エネルギ−線硬化型樹脂組成物を提供するものであり、
【化２】
2002069139.tif 000002
〔式中、Ｒ１は水素原子またはメチル基を示し、Ｒ２、Ｒ３は置換基を有していても良く分岐していても良い炭素原子数２〜８のアルキレン鎖を示し、ｍおよびｎはそれぞれ独立して、ｍは１〜５の整数、ｎは０〜４の整数で、ｍとｎの和（ｍ＋ｎ）が２〜５である。式（２）において［  ］内は炭素原子数２〜８のアルキレン鎖からなるブロック構造またはランダム構造を有するオキシアルキレン鎖を示す。〕
また本発明は、
（II）該組成物の硬化物が、引張応力と歪との関係図において、破断時の応力（σ2）と、初期引張変形点における接線と破断時の歪での応力の交点（σ1）との比（σ2／σ1）が０．５以上である（I）記載の活性エネルギー線硬化型樹脂組成物を提供するものであり、また本発明は、
（III）一般式（１）中のｍとｎの和（ｍ＋ｎ）が２〜４である（I）または（II）記載の活性エネルギ−線硬化型樹脂組成物を提供するものであり、また本発明は、
（IV）分子中に（メタ）アクリロイル基を３つ有する（メタ）アクリレート（Ｂ）が、水酸基を含む化合物に（メタ）アクリル酸がエステル化反応で３個結合した構造を有するものである（I）、（II）または（III）記載の活性エネルギ−線硬化型樹脂組成物を提供するものである。
【手続補正３】
【補正対象書類名】明細書
【補正対象項目名】００２１
【補正方法】変更
【補正の内容】
【００２１】
本発明で用いる、分子中に（メタ）アクリロイル基を３つ有するウレタン（メタ）アクリレート（Ａ）とは、例えば、３官能イソシアネート化合物と一般式（１）または（２）で表される化合物とを反応させて得られる化合物が挙げられる。
【化３】
2002069139.tif 000003
〔式中、Ｒ１は水素原子またはメチル基を示し、Ｒ２、Ｒ３は置換基を有していても良く分岐していても良い炭素原子数２〜８のアルキレン鎖を示し、ｍおよびｎはそれぞれ独立して、ｍは１〜５の整数、ｎは０〜４の整数で、ｍとｎの和（ｍ＋ｎ）が２〜５である。式（２）において［  ］内は炭素原子数２〜８のアルキレン鎖からなるブロック構造またはランダム構造を有するオキシアルキレン鎖を示す。〕
【手続補正４】
【補正対象書類名】明細書
【補正対象項目名】００２５
【補正方法】変更
【補正の内容】
【００２５】
上記した一般式（１）または（２）で表される化合物において、本発明の分子中に（メタ）アクリロイル基を３つ有するウレタン（メタ）アクリレート（Ａ）における官能基間距離をコントロールするためには、一般式（１）または（２）で表される化合物中の水酸基および（メタ）アクリロイル基の長さをコントロールする。この場合、一般式（１）中のｍ＋ｎで表される繰り返し単位数は、架橋密度の上昇によるカール現象を抑え、また架橋密度の極端な低下による硬度の減少あるいは降伏点の出現による諸特性バランスの悪化を抑制するため、２〜５であることが必要である。
【手続補正書】
【提出日】平成17年3月29日(2005.3.29)
【手続補正１】
【補正対象書類名】明細書
【補正対象項目名】００２７
【補正方法】変更
【補正の内容】
【００２７】
むろん、打ち込み値の変更が１編成リピート内にあり、かつショギング値が１編成リピート内で変更される場合には、送り出しローラを駆動するモータＣと主軸駆動モータＡに対しては、同期パルスＳ１に基づき主軸４と同期をとりながら各々の回転数が調整されることはいうまでもない。
【手続補正書】
【提出日】平成17年8月22日(2005.8.22)
【手続補正１】
【補正対象書類名】明細書
【補正対象項目名】００３０
【補正方法】変更
【補正の内容】
【００３０】
比較例２
実施例１において、多孔質表面層を形成後に表面にＤＭＦを１４０メッシュのグラビアロールで塗布し、２分間放置後、乾燥し、ミクロホールを形成した。さらに、茶の顔料を含むエーテル系ポリウレタンインクで着色し、バスケットボールシボの型押しを行った。得られた皮革様シートは、表面に平均孔径５０μｍ、孔数約１２００個／ｃｍ２のミクロホールを有するが、浸透剤を含有していないために十分な吸汗性能を発揮できず、この皮革様シートで造られたバスケットボールは、十分なノンスリップ性を有しないものであった。
【手続補正２】
【補正対象書類名】明細書
【補正対象項目名】００３１
【補正方法】変更
【補正の内容】
【００３１】
比較例３
実施例１において、多孔質表面層を形成後に表面にＤＭＦを２００メッシュのグラビアロールで塗布し、１分間放置後、乾燥し、ミクロホールを形成した。さらに、茶の顔料を含むエーテル系ポリウレタンインクで着色し、バスケットボールシボの型押しを行った。得られた皮革様シートは、表面に平均孔径１０μｍ、孔数約１００個／ｃｍ２のミクロホールしかないため、十分な吸汗性能を発揮できず、この皮革様シートで造られたバスケットボールは、十分なノンスリップ性を有しないものであった。
【手続補正書】
【提出日】平成16年4月6日(2004.4.6)
【手続補正１】
【補正対象書類名】明細書
【補正対象項目名】特許請求の範囲
【補正方法】変更
【補正の内容】
【特許請求の範囲】
【請求項１】
微粉炭と一次空気との混合物を噴出する微粉炭ノズルの外周に二次空気を噴出する二次空気ノズルが同心円状に設けられるとともに、該二次空気ノズルの外周に三次空気を噴出する三次空気ノズルが同心円状に設けられ、前記二次空気ノズルの外周壁の先端に拡管部が設けられている微粉炭燃焼バーナにおいて、
前記二次空気ノズルから噴出する二次空気を前記二次空気ノズルの外周側に偏向する偏向手段を設けたことを特徴とする微粉炭燃焼バーナ。
【請求項２】
請求項１に記載の微粉炭燃焼バーナにおいて、前記偏向手段は、前記二次空気ノズルの内周壁先端に設けられ、前記二次空気ノズルの外周壁先端に設けられた拡管部よりも鋭角的に設置された案内板であることを特徴とする微粉炭燃焼バーナ。
【請求項３】
請求項１に記載の微粉炭燃焼バーナにおいて、前記偏向手段は、前記二次空気に向かって気体を噴出する気体噴出ノズルであることを特徴とする微粉炭燃焼バーナ。
【請求項４】
請求項１に記載の微粉炭燃焼バーナにおいて、前記偏向手段は、前記二次空気の流れを前記拡管部側に寄せるように誘導する誘導部材であることを特徴とする微粉炭燃焼バーナ。
【請求項５】
請求項１に記載の微粉炭燃焼バーナにおいて、前記偏向手段は、前記二次空気ノズルの噴出口に設けられた二次空気旋回器であることを特徴とする微粉炭燃焼バーナ。
【請求項６】
請求項２に記載の微粉炭燃焼バーナにおいて、前記案内板の前記微粉炭ノズルの中心軸に対する角度が６０度ないし９０度の角度で設けられていることを特徴とする微粉炭燃焼バーナ。
【請求項７】
請求項２に記載の微粉炭燃焼バーナにおいて、前記案内板の先端が前記拡管部の先端よりも下流側に突出していることを特徴とする微粉炭燃焼バーナ。
【請求項８】
請求項２に記載の微粉炭燃焼バーナにおいて、前記案内板の先端が前記三次空気ノズルの外周壁先端よりも上流側に位置していることを特徴とする微粉炭燃焼バーナ。
【請求項９】
請求項１に記載の微粉炭燃焼バーナにおいて、前記二次空気ノズル内に二次空気ノズルの流路を狭めて流速を高めるための流路縮小部材が設けられることを特徴とする微粉炭燃焼バーナ。
【請求項１０】
請求項９に記載の微粉炭燃焼バーナにおいて、前記流路縮小部材よりも下流側に、前記偏向手段として、前記二次空気ノズルの内周壁先端に設けられ、前記二次空気ノズルの外周壁先端に設けられた拡管部よりも鋭角的に設置された案内板が設けられることを特徴とする微粉炭燃焼バーナ。
【請求項１１】
請求項２に記載の微粉炭燃焼バーナにおいて、前記案内板にスリットが設けられていることを特徴とする微粉炭燃焼バーナ。
【請求項１２】
微粉炭と一次空気との混合物を噴出する微粉炭ノズルの外周に二次空気を噴出する二次空気ノズルが同心円状に設けられるとともに、該二次空気ノズルの外周に三次空気を噴出する三次空気ノズルが同心円状に設けられ、該二次空気ノズルの外周壁の先端に拡管部が設けられている微粉炭燃焼バーナにおいて、
前記微粉炭ノズルと前記二次空気ノズルを隔てる隔壁先端部に一次空気の流れに対し略垂直な平面を有する障害物と二次空気の流れに対し略垂直な平面を有する障害物を設け、前者の障害物の前記平面は、後者の障害物の前記平面よりバーナ軸方向の上流側に位置していることを特徴とする微粉炭燃焼バーナ。
【手続補正２】
【補正対象書類名】明細書
【補正対象項目名】００２３
【補正方法】削除
【補正の内容】
【手続補正３】
【補正対象書類名】明細書
【補正対象項目名】００２４
【補正方法】削除
【補正の内容】
【手続補正４】
【補正対象書類名】明細書
【補正対象項目名】００２５
【補正方法】削除
【補正の内容】
【手続補正５】
【補正対象書類名】明細書
【補正対象項目名】００２６
【補正方法】削除
【補正の内容】
【手続補正６】
【補正対象書類名】明細書
【補正対象項目名】００２９
【補正方法】変更
【補正の内容】
【００２９】
また、請求項９に記載の微粉炭燃焼バーナにおいて、前記流路縮小部材よりも下流側に、前記偏向手段として、前記二次空気ノズルの内周壁先端に設けられ、前記二次空気ノズルの外周壁先端に設けられた拡管部よりも鋭角的に設置された案内板が設けられていることを特徴とする。


【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正書】
【提出日】平成17年4月20日(2005.4.20)
【手続補正１】
【補正対象書類名】明細書
【補正対象項目名】特許請求の範囲
【補正方法】変更
【補正の内容】
【特許請求の範囲】
【請求項１】
合成樹脂製で体積固有抵抗値が１×１０10Ω・ｃｍ以下である保持器および／またはシールを有することを特徴とする転がり軸受。
【請求項２】
母材となる合成樹脂にカーボン繊維が添加された樹脂組成物で形成され、体積固有抵抗値が１×１０10Ω・ｃｍ以下となっている保持器。
【請求項３】
請求項２記載の保持器を有することを特徴とする転がり軸受。
【手続補正書】
【提出日】平成17年7月22日(2005.7.22)
【手続補正１】
【補正対象書類名】明細書
【補正対象項目名】０００３
【補正方法】変更
【補正の内容】
【０００３】
図５に示す加熱器の構成例を説明すると、例えば二流体直交型のプレートフィン型熱交換器１において、図の左から右へ被加熱流体Ａを通過させ、加熱側流体Ｂを図の下から上へと上昇させる場合、加熱側流体Ｂはタンク２からポンプ３で加熱源４へ送られて、直接あるいは間接的に所定温度に加熱されてから熱交換器１へと送給され、被加熱流体Ａを加熱後再度、タンク２へ戻す構成からなる。
【手続補正２】
【補正対象書類名】明細書
【補正対象項目名】００１０
【補正方法】変更
【補正の内容】
【００１０】
また、ヒーターを周設配置した流体通路と通常のプレートとフィンからなる流体通路と交互にあるいは他の構成からなる通路と所要パターンで積層配置することも可能で、図４に示す構成で加熱器を熱交換器内に内蔵することもできる。
【手続補正３】
【補正対象書類名】明細書
【補正対象項目名】００１５
【補正方法】変更
【補正の内容】
【００１５】
この発明において、電気ヒーターには、通路に積層や付設する構成には平板状ヒーターや鋳込みヒーターが採用でき、ヘッダータンク内に配置する場合は、通常の棒状ヒーターを用いることもできる。
【手続補正書】
【提出日】平成17年3月23日(2005.3.23)
【手続補正１】
【補正対象書類名】明細書
【補正対象項目名】特許請求の範囲
【補正方法】変更
【補正の内容】
【特許請求の範囲】
【請求項１】
一端部に吸気口を有すると共に、他端部に排気口を有する筒状のケーシングと、
このケーシング内に配設されたモータ取付体と、
このモータ取付体に取り付けられて前記ケーシング内に配設されたモータと、  このモータの回転軸に取着されて前記ケーシング内の前記吸気口側に配置され、前記回転軸により回転駆動されることに基づき前記吸気口から空気を吸い込んで前記排気口へ流すファンと、
前記モータ取付体に前記ファンの近傍から前記排気口にかけて延びるように設けられた整流板とを具備したことを特徴とする換気扇。
【請求項２】
整流板は、外周部がケーシングの内面に沿っていると共に、内周部が排気口を臨むように突出していることを特徴とする請求項１記載の換気扇。
【請求項３】
モータ取付体は、モータの排気口側に位置させて整流カバーを備えていることを特徴とする請求項１記載の換気扇。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００３９
【補正方法】削除
【補正の内容】
【手続補正６】
【補正対象書類名】明細書
【補正対象項目名】００４０
【補正方法】削除
【補正の内容】
【手続補正書】
【提出日】平成17年6月28日(2005.6.28)
【手続補正１】
【補正対象書類名】明細書
【補正対象項目名】特許請求の範囲
【補正方法】変更
【補正の内容】
【特許請求の範囲】
【請求項１】
カセットに収納された基板をセンダに配置し、そのセンダより搬出された基板を複数の処理ユニットにて処理した後、レシーバ側に配置されたカセットに収納する半導体製造装置を用いた基板搬送方法において、
前記センダからの搬出タイミングの時間制御を行なうことを特徴とする基板搬送方法。
【請求項２】
前記センダからの搬出タイミングの時間制御により、各前記処理ユニット内での待機時間を無くすことを特徴とする請求項１記載の基板搬送方法。
【請求項３】
前記基板の搬出毎に搬出タイミングの算出を実施し、異なる処理時間の前記基板の連続搬送においても、各前記処理ユニット内での待機時間を無くすことを特徴とする請求項１記載の基板搬送方法。
【請求項４】
前記処理ユニット間の搬送に要する時間を自動算出することを特徴とする請求項１記載の基板搬送方法。
【請求項５】
カセットに収納された基板をセンダに配置し、そのセンダより搬出された基板を複数の処理ユニットにて処理した後、レシーバ側に配置されたカセットに収納する半導体製造装置を用いた基板搬送方法において、
前記処理ユニット数がnの場合において、ｋ枚目から（ｋ＋１）枚目（ｋは１以上の自然数）について以下の式によって算出される時間間隔T
T＝max(T1, T2, T3, ・・, Tn-1, Tn)+ユニット間搬送時間
但し、
T1=(k枚目の基板の第１から第nユニットまでの処理時間の総和)−(k+1枚目の基板の第１から第(n-1)ユニットまでの処理時間の総和)、
T2=(k枚目の基板の第１から第(n-1)ユニットまでの処理時間の総和)−(k+1枚目の基板の第１から第(n-2)ユニットまでの処理時間の総和)、
T3=(k枚目の基板の第１から第(n-2)ユニットまでの処理時間の総和)−(k+1枚目の基板の第１から第(n-3)ユニットまでの処理時間の総和)、
・  ・・
Tn-1=(k枚目の基板の第１から第２ユニットまでの処理時間の総和)−(k+1枚目の基板の第１ユニットの処理時間)、
Tn=k枚目の基板の第１ユニットの処理時間
で、センダからの基板の搬出タイミングを制御することを特徴とする基板搬送方法。
【手続補正２】
【補正対象書類名】明細書
【補正対象項目名】００１６
【補正方法】変更
【補正の内容】
【００１６】
【課題を解決するための手段】
上記課題を解決するために、請求項1記載の発明は、基板搬送方法に係り、カセットに収納された基板をセンダに配置し、そのセンダより搬出された基板を複数の処理ユニットにて処理した後、レシーバ側に配置されたカセットに収納する半導体製造装置を用いた基板搬送方法において、前記センダからの搬出タイミングの時間制御を行なうことを特徴とし、
請求項２記載の発明は、請求項１記載の基板搬送方法に係り、前記センダからの搬出タイミングの時間制御により、各前記処理ユニット内での待機時間を無くすことを特徴とし、
請求項３記載の発明は、請求項１記載の基板搬送方法に係り、前記基板の搬出毎に搬出タイミングの算出を実施し、異なる処理時間の前記基板の連続搬送においても、各前記処理ユニット内での待機時間を無くすことを特徴とし、
請求項４記載の発明は、請求項１記載の基板搬送方法に係り、前記処理ユニット間の搬送に要する時間を自動算出することを特徴としている。
請求項５記載の発明は、基板搬送方法に係り、カセットに収納された基板をセンダに配置し、そのセンダより搬出された基板を複数の処理ユニットにて処理した後、レシーバ側に配置されたカセットに収納する半導体製造装置を用いた基板搬送方法において、前記処理ユニット数がnの場合において、ｋ枚目から（ｋ＋１）枚目（ｋは１以上の自然数）について以下の式によって算出される時間間隔T
T＝max(T1, T2, T3, ・・, Tn-1, Tn)+ユニット間搬送時間
但し、
T1=(k枚目の基板の第１から第nユニットまでの処理時間の総和)−(k+1枚目の基板の第１から第(n-1)ユニットまでの処理時間の総和)、
T2=(k枚目の基板の第１から第(n-1)ユニットまでの処理時間の総和)−(k+1枚目の基板の第１から第(n-2)ユニットまでの処理時間の総和)、
T3=(k枚目の基板の第１から第(n-2)ユニットまでの処理時間の総和)−(k+1枚目の基板の第１から第(n-3)ユニットまでの処理時間の総和)、
・  ・・
Tn-1=(k枚目の基板の第１から第２ユニットまでの処理時間の総和)−(k+1枚目の基板の第１ユニットの処理時間)、
Tn=k枚目の基板の第１ユニットの処理時間
で、センダからの基板の搬出タイミングを制御することを特徴としている。
【手続補正３】
【補正対象書類名】明細書
【補正対象項目名】００１８
【補正方法】変更
【補正の内容】
【００１８】
本発明においては、基板カセットに収納された基板をセンダに配置し、そのセンダより搬出された基板を複数の処理ユニットにて処理した後、レシーバ側に配置されたカセットに収納する半導体製造装置を用いた基板搬送方法において、センダからのウエハ搬出毎に搬出タイミングの時間算出を行なっている。その算出した時間にて搬出することにより、各処理ユニットの処理時間に影響を受けること無く、各ユニットの処理開始前または処理終了後の処理ユニット内待機時間を無くす基板搬送方式である。
【手続補正４】
【補正対象書類名】明細書
【補正対象項目名】００３０
【補正方法】変更
【補正の内容】
【００３０】
先に実行する基板の処理時間とその後に実行される処理時間を基に、最適な搬出制御時間を次の計算式にて算出する。